(57)【要約】【課題】  不意の出費や、緊急且つ、非常時に備えて必要な紙幣等の貴重品を収納携帯し、悪意を抱いた者に見破られても、紙幣等の金品を全て持ち去られる事のないベルトを提供することである。【解決手段】  バックル軸にベルト主体の一端を折り曲げて掛止して該ベルトを形成するベルトであって、前記一端に紙幣又は貴重品を分散して収納する手段を備えたことである。【選択図】  図１
2005058697.tif 000002
【特許請求の範囲】
【請求項１】
バックル軸にベルトの一端を折り曲げ、掛止してウエストに巻くベルトを形成する前記ベルトの一端に紙幣又は貴重品を分散して収納する手段を備えたことを特徴とするベルト。
【発明の詳細な説明】
【発明の詳細な説明】
【技術分野】
【０００１】  この発明は、ウエストに巻いて使用するベルトであって、紙幣又はカード等の貴重品を収納することができるベルトに関するものである。
【背景技術】
【０００２】  従来、ウエストに着用するベルトに財布機能を加味した物は、紳士用のベルトが多く、開閉自在の蓋を設けた収納容器でバックルを構成し、貴重品特に紙幣や小銭を隠して所持し、スリや盗難の被害を避け、或いは突然の支払いに対応するためのベルトの考え方がある。【０００３】  又、ベルトの一端を筒状に形成し、その中に折り畳んだ紙幣等を忍ばせ、所持する考え方もある。【０００４】  更に、ベルトのバックル側端部の裏側、つまり、着用者の体に接する面に小さなポケット状の収納部を設け、これに紙幣や小銭等を忍ばせ所持する考え方もあるが、何れの考え方に於いても収納部分は一カ所である。
【発明が解決しようとする課題】
【０００５】  上記の如く従来技術に於いては、スリや盗難の被害を避けるために紙幣や小銭等を忍ばせる部分が一カ所しかないため、見破られた場合、盗難の危険があるばかりか、万一見破られた場合、忍ばせた紙幣等の金品は全て持ち去られ、所期の目的である万一の出費の支払いができない事になる。
【０００６】  従って、本発明が解決しようとする課題は、不意の出費や、緊急且つ、非常時に備えて必要な紙幣等の貴重品を収納携帯し、万一、スリや盗賊に見やぶられた場合に於いても、その被害を最少限度にとどめ、紙幣等の金品を全て持ち去られないためのベルトを提供することである。
【課題を解決するための手段】
【０００７】  本発明は、バックルの軸にベルトの一端を折り曲げ、掛止してウエストに巻くベルトを形成する前記ベルトの一端に、紙幣又は貴重品を分散して収納する手段を備えたことである。
【０００８】  上記に述べた、前記一端に紙幣又は貴重品を分散して収納する手段を備えたとは、該ベルトの一端を折り曲げることにより、開口部は一カ所でありながら、複数の収納部を形成することである。
【発明を実施するための最良の形態】
【０００９】  バックルの軸Ｓを略中央にして開口部Ｑ、Ｑを有するバックル９の開口部Ｑ、Ｑを介してバックルの軸Ｓにベルトの一端２を掛止してウエストに巻くベルトを構成する。
この時、ベルト主体１はベルト部材６を合わせた状態で、ベルトの一端２の縁部４に非固着部Ｊを残して開口部５を構成しつつ固着部３に依ってベルト部材６を固着し、袋状の収納部７、８を構成する。【００１０】  ベルト部材６は複数枚を載置し、周縁部を縫製又は接着等によってベルト主体１を形成しても良く、一枚のベルト部材６を折り曲げて周縁部に固着部３を介してベルト主体１を構成することも可能で、非固着部Ｊによって袋状の収納部７、８を構成することである。【００１１】  ベルトの一端２をバックルの開口部Ｑに挿入し、バックル軸Ｓに掛止し、折り返したベルトの一端２をバックルの開口部Ｑを通過させ、ウエストに巻くベルトとして構成されるが、この時、非固着部Ｊによって形成された開口部５の端部がバックル軸Ｓ付近に位置し、ベルトの一端２をバックル軸Ｓに掛止することにより、ベルトの一端２が完全に折り曲がり、紙幣や貴重品を収納するため非固着部Ｊからなる袋状が分離されて収納部７、８が構成される。【００１２】  従って、非固着部Ｊによって形成される開口部５は、収納部７に紙幣又は貴重品を出し入れ自在な大きさの開口部５とすることが望ましく、収納部８に紙幣又は貴重品を出し入れする場合に於いては、収納部７を介して開口部５から出し入れ可能に構成し、収納部８の外から収納部８内の紙幣や貴重品の存在を察知し得ないようになっている。
【実施例】
【００１３】  以下、本発明の実施例について説明すると、図１、図２、図３、主体ベルト主体１はベルト部材６を合わせた状態で、ベルトの一端２の縁部４に非固着部Ｊを残して、開口部５を形成しつつ固着部３によりベルト部材６を固着し、非固着部Ｊに依って袋状が形成され、ベルトの一端２をバックル軸Ｓに折り返して掛止することにより、収納部７、８を構成してある。【００１４】  ベルト部材６は、ある程度の柔軟性を有することが望ましく、例えば、ウエストに巻いた場合、違和感のない柔軟性であって、且つ、収納部７、８に紙幣や貴重品等の出し入れが容易で、且つ、収納部８に収納されている紙幣等を外部から察知することができない柔らかさであることが望ましい。【００１５】  又、ベルト部材６は、複数枚を載置し、収納部７、８及び開口部５を形成する非固着部Ｊを残して、縫製又は接着等によって固着し、ベルト主体１を構成することも可能であり、この場合、ベルト主体１の周縁部のみを固着しても良く、或いはベルト主体１のベルトの一端２を除き全体的に固着することも可能である。【００１６】  非固着部Ｊは収納部７を介して収納部８に紙幣又は貴重品等を出し入れする場合、容易に出し入れできる大きさであって、且つ、目立たないように開口部５が形成されており、ほんの一例ではあるが、例えば収納部７の長さより、若干短く、且つ、バランス良く形成するとよく、収納部７と開口部５との関係が略巾着状（収納部７の横幅より開口部５の長さを短く）形成する事が望ましく、収納部７内に収納した収納物がこぼれ難くなり、紛失を防止することができるように形成することが望ましい。【００１７】  バックル軸Ｓにベルト主体１を掛止する際、非固着端部Ｐの位置が、バックル軸Ｓの近傍に位置し、開口部５を有する収納部７と、収納部８は完全に遮断されて、外部から収納部８の内部の収納物を察知されないように、収納部８を形成することが望ましく、収納部８は非常時に必要な紙幣等の貴重品を収納するスペースとなる。【００１８】  従って、ベルト主体１をバックル９に掛止して、ウエストに巻くベルトとを構成するには、ほんの一例であるが、バックル９（図４）の一方の開口部Ｑにベルト主体１のベルトの一端２を挿通し、バックル軸Ｓの上側を通してもう一方の開口部Ｑに挿通し、ベルト主体１の裏面に合わせて、収納部７及び収納部８構成してあり、収納部７にはスリや盗賊の心理である少額でも取れば気が済むと言う心理を応用し、少額のいわゆる見せ金を収納し、収納部８に必要な金額の紙幣等の貴重品を秘密裏に収納して置き緊急時に取り出して使用する。【００１９】  従って、非固着端部Ｊがバックル軸３の近傍に位置するようにベルト主体１を掛止することによって、収納部７に開口部５が付随し、収納部８には収納部７を介してのみ収納物を出し入れすることが可能となり、バックル９にベルト主体１を掛止してある限りに於いて、収納部８の存在に気付くことはなく、従って、収納部８内の紙幣や貴重品の存在を察知されることはなく、万一発生する盗難の被害は、収納部７に収納された収納物のみでくい止めることができるようにしてある。【００２０】  従って、ベルトをウエストに着用したまま出し入れできる開口部５を有する収納部７��は頻繁に出し入れをする可能性のある金額、又は、被害にあっても痛手とならない程度の金額をカムフラージとして収納し、収納部８には、万一の場合最低限必要な金額以上を収納しておき、万一の場合に備える事ができ、安心感を得るベルトを提供することができる。【００２１】  図５は本発明の第２実施例を示すベルト主体の斜視図で、開口部５を開いた状態を示しているが、バックル軸３にベルト主体１の一端２を掛止した場合、掛止した状態をより安定的に保持する手段として、着脱自在部材Ｍを掛止した状態で対面する様に設けることもできる。
この時、着脱自在部材Ｍは図５に於いては面ファスナーを表しているが、これはほんの一例で、例えば、スナップ又はボタン、又はマグネットシート等を適宜に用いることも可能で、第１実施例と同様の効果を得ることができる。【００２２】  図６は本発明の第３実施例のベルト主体を示す斜視図で、開口部５を開いた状態を示しているが、ベルトの一端２の適宜範囲に形状保持部材Ｔを設けることもできる物で、この形状保持部材Ｔは、例えば、柔軟な金属等で形成することが可能で、バックル軸３に掛止した状態を保持することができると共に、他の実施例と同様の効果を得ることができるとう便利である。
【発明の効果】
【００２３】  上記の如く、本発明によれば外出時に発生する不意の出費や、非常時に備えて携行する紙幣等の金銭や貴重品の全てを持ち去られることを防止し、スリや盗難の被害を最少限度に抑え、スリや盗賊等に見破られることの無く、外出時に発生する不意の出費や非常時に金銭的に困らないベルトを提供することができる。
【図面の簡単な説明】
【図１】本発明のベルト主体を示す斜視図である。
【図２】本発明のベルト主体を掛止するためのバックルを示す斜視図である。
【図３】本発明のベルト主体をバックルに掛止した状態を示す斜視図である。
【図４】図３のＹ、Ｙ｀斜視図の断面図である
【図５】本発明の第２実施例を示す斜視図である。
【図６】本発明の第３実施例を示す斜視図である。
【符号の説明】
１  ベルト主体
２  ベルトの一端
３  固着部
Ｊ  非固着部
Ｐ  非固着端部
４  縁部
５  開口部
６  ベルト部材
７  収納部
８  収納部
９  バックル
Ｑ  バックル開口部
Ｓ  バックル軸
Ｍ  着脱自在部材
Ｔ  形状保持部材
【図１】
2005058697.tif 000003
【図２】
2005058697.tif 000004
【図３】
2005058697.tif 000005
【図４】
2005058697.tif 000006
【図５】
2005058697.tif 000007
【図６】
2005058697.tif 000008